(57)【特許請求の範囲】
【請求項１】
携帯用の情報処理装置において、
インタフェースを具備する本体と、
前記本体から入力されるデータをディスプレイする液晶ディスプレイモジュールと、
前記液晶ディスプレイモジュールを搭載して液晶ディスプレイモジュールの側面と背面を覆うエンクロージャーと、
前記エンクロージャーと前記液晶ディスプレイモジュール上に結合されて、前記液晶ディスプレイモジュールのディスプレイ領域の周囲を覆う金属材質のケースと、
前記本体に固定され、所定の回転軸を有するヒンジと、
前記液晶ディスプレイモジュールの側縁部と前記エンクロージャーの側縁部との間に位置し、液晶ディスプレイモジュールの側縁部に固定されるとともに、前記ヒンジの回転軸に対して回動自在に取り付けられるヒンジアームとを備え、
前記液晶ディスプレイモジュールを、前記金属材質のケースを介してヒンジアーム、及びヒンジと電気的に接続し、接地することにより、前記液晶ディスプレイモジュールから発生する電磁波干渉を遮蔽することを特徴とする、携帯用の情報処理装置。
【請求項２】
前記金属材質のケースがアルミニウム材質のケースであることを特徴とする、請求項１に記載の情報処理装置。
【発明の詳細な説明】
【０００１】
【発明の属する技術分野】
本発明は携帯用の情報処理装置に関するもので、特に液晶ディスプレイモジュールを含む液晶ディスプレイ装置に関するものである。
【０００２】
【従来の技術】
一般的に携帯用の情報処理装置ではノートブックコンピュータ（Ｎｏｔｅｂｏｏｋ  ｃｏｍｐｕｔｅｒ）などがあり、こういう携帯用情報処理装置の特徴としては携帯するために軽くなければならないし、大きさも小さくて薄くなければならない。前記携帯用の情報処理装置では一般的に液晶ディスプレイ装置が搭載され、ディスプレイしようとする画像データを処理して液晶ディスプレイ領域上にディスプレイするようになる。
【０００３】
図１は一般的に液晶ディスプレイモジュールをとるノートブックコンピュータを図示している。一般的にノートブックコンピュータは前記図１に図示されたところのように外部インターフェースとしてキーボード（Ｋｅｙｂｏａｒｄ）が装着された本体（１）と前記本体（１）に結合されて情報処理されたデータをディスプレイする液晶ディスプレイモジュールを含む（ｅｎｃｌｏｓｕｒｅ）ディスプレイ装置（２）で構成される。また、前記ノートブックコンピュータは前記本体（１）にディスプレイ装置（２）を結合させるためのヒンジ（ｈｉｎｇｅ）を含む。
【０００４】
図２は前記図１に図示されたディスプレイ装置（２）の正面図であり、図３は図２に前記ディスプレイ装置（２）の点線Ａ−Ａ′に従って切断された様子を見せてある。前記図２及び図３を参照すれば、前記ディスプレイ装置（２）のエンクロージャー（１０）はノートブックコンピュータのキーボード部を覆うようになるディスプレイ装置（２）のリアケース（ｒｅａｒ  ｃａｓｅ）として液晶ディスプレイモジュール（２０）を含む。一般的に前記エンクロージャー（１０）はプラスチック材質を使用してあり、こういうエンクロージャーの厚さ（ｔ）は約１．２−１．４ｍｍ程度である。また、エンクロージャー（１０）の弛みあるいはねじれと強度を補うために前記エンクロージャー（１０）は水平方向及び垂直方向に凹凸形状に構造されたリブ（ｒｉｂ：１１）を有している。則ち、前記リブ（１１）はエンクロージャー（１０）の表面で凹凸形状に突き出て垂直または水平方向に延長されて形成される。また、前記エンクロージャー（１０）は図２及び図３に図示されたところのように本体（１）とディスプレイ装置（２）の間を結合するヒンジ（ｈｉｎｇｅ）を覆うために下側ヒンジケース部３１が突出されている。図２及び図３でモジュール（２０）は前記エンクロージャー（１０）内部で搭載されて、液晶モジュール平面の法線方向に前記エンクロージャー（１０）に固定されたり、前記液晶表示モジュール平面の平行方向にエンクロージャー（１０）に固定されるようになる。また、前記上述した固定方向は液晶表示モジュール（２０）がエンクロージャー（１０）に固定される方向によってフロントマウンティング（ｆｒｏｎｔ  ｍｏｕｎｔｉｎｇ）及びサイドマウンティング（ｓｉｄｅ  ｍｏｕｎｔｉｎｇ）方法で区分される。また、図２及び図３でトップベゼル（ｔｏｐ  ｂｅｚｅｌ：３０）はディスプレイ装置（２）のフロントケース（ｆｒｏｎｔ  ｃａｓｅ）として前記液晶表示モジュール（２０）のディスプレイ領域を除いた周辺部を覆い、前記エンクロージャーと結合される。また、前記トップベゼル（３０）は図２及び図３に図示したところのように前記ヒンジを覆うために上側ヒンジケース部（３１）が突出されてある。前記トップベゼル（３０）の材料は一般的にプラスチックが使用され、弛みまたはねじれを防止するため１．２−１．４ｍｍ程度の厚さをとる。
【０００５】
一般的に前記ディスプレイ装置（２）は液晶表示モジュール（２０）で発生される電磁気干渉（ＥＭＩ）を遮蔽（ｓｈｉｅｌｄ）するためにエンクロージャー（１０）とトップベゼル（３０）の内部に電磁気遮蔽用の塗料を塗らせるようにになる。
【０００６】
【発明が解決しようとする課題】
しかし、上述した携帯用の情報処理装置はプラスチック材質のトップベゼル（３０）を使用するので携帯用の情報処理装置はディスプレイ装置（２）の厚さが分厚くて重い。また、上述した携帯用の情報処理装置はディスプレイ装置（２）で発生される電磁気干渉を遮蔽するために電磁気遮蔽用の塗料を塗らなければならない。従って一般的に携帯用の情報処理装置で一番大事な全体システムの大きさ（厚さ）、重さ、費用（電磁気遮蔽用・塗料費用）などが大きいという問題点があった。
【０００７】
本発明の目的は上述した問題点を解決するために厚さが薄くて、重さが軽い携帯用の情報処理装置を提供することにある。
【０００８】
または、本発明の他の目的は電磁気遮蔽性能がよい携帯用の情報処理装置を提供することにある。
【０００９】
本発明の他の目的は厚さが薄くて、重さが軽いディスプレイ装置を提供することにある。
【００１０】
また、本発明の他の目的は厚さが薄くて、重さが軽いコンピュータディスプレイを提供することにある。
【００１１】
また、本発明の他の目的は厚さが薄くて、重さが軽いコンピュータを提供することにある。
【００１２】
【課題を解決するための手段】
上述した目的を達成するため、本発明によるディスプレイ装置はデータをディスプレイする液晶ディスプレイモジュールと；液晶ディスプレイモジュールを搭載して液晶ディスプレイモジュールの側面と背面を覆うエンクロージャーと；エンクロージャーと液晶ディスプレイモジュール上に結合され、液晶ディスプレイモジュールのディスプレイ領域の周囲を保護するアルミニウムまたはアルミニウム合金のケースを含む。
【００１３】
本発明による携帯用情報処理装置はインターフェース装置を具備する本体と；本体に結合されるヒンジと；ヒンジを通して本体に器具的に結合され、本体から入力されるデータをディスプレイするディスプレイ装置を含み、ディスプレイモジュールの側面と背面を覆うエンクロージャーと、エンクロージャーと液晶ディスプレイモジュール上に結合され、液晶ディスプレイモジュールのディスプレイモジュールのディスプレイ領域の周囲を覆うアルミニウムまたはアルミニウム合金のケースで構成される。
【００１４】
本発明による携帯用情報処理装置はインターフェース装置を具備する本体と；本体から入力されるデータをディスプレイする液晶ディスプレイモジュールと；液晶ディスプレイモジュールを搭載して液晶ディスプレイモジュールの側面と背面を覆うエンクロージャーと；エンクロージャーと前記液晶ディスプレイモジュール上に結合され前記液晶ディスプレイモジュールのディスプレイ領域の周囲を覆うアルミニウムまたはアルミニウム合金のケースと；前記本体に固定され所定の回転軸を具備し、前記回転軸からヒンジアームが前記エンクロージャー間に位置して前記液晶ディスプレイモジュールとヒンジアームとエンクロージャーと共に固定されるヒンジを含む。
【００１５】
本発明によるコンピュータ用のディスプレイモジュールと；ディスプレイモジュールを実質的に覆うハウジングと、ディスプレイモジュールに該当する中央開口部を有することと併せてアルミニウムまたはアルミニウム合金を含むように形成され前記ディスプレイモジュールの周辺を実質的に覆うベゼルを具備する。
【００１６】
本発明によるコンピュータはコンピュータシャーシと、コンピュータシャーシに結合されたヒンジと；ヒンジを経由してコンピュータシャーシに結合されることと併せてディスプレイモジュールを実質的に覆うハウジングと、ディスプレイモジュールに該当する中央開口部を有することと併せてアルミニウムまたはアルミニウム合金を含むように形成されディスプレイモジュールの周辺を実質的に覆うベゼルを有するディスプレイ部を具備する。
【００１７】
前記した構成によって、本発明は従来のディスプレイ装置または携帯用の情報処理装置よりその厚さが薄くなる。また本発明は従来のディスプレイ装置または携帯用の情報処理装置より重さが軽いという長所がある。そして、本発明は前記ディスプレイ装置のトップベゼルを伝導性のある材質を使用するため前記液晶ディスプレイモジュールから発生される電磁波を遮蔽する効果がある。
【００１８】
【発明の実施の形態】
以下、本発明の好ましいの実施例を添付した図面を参照して詳細に説明する。図４及び図５は本発明の好ましい実施例による携帯用の情報処理装置のディスプレイ装置を表す図面である。図は携帯用の情報処理装置（一例としてノートブックコンピュータ）のキーボード部を覆うようになるディスプレイ装置（４０）のリアケース（ｒｅａｒ  ｃａｓｅ）として液晶ディスプレイモジュール（２０）を含む。前記エンクロージャー（５０）はプラスチック材質を使用していて、厚さ（ｔ）は約１．２−１．４ｍｍ程度である。またエンクロージャー（５０）の弛みまたはねじれと強度を補完するために前記エンクロージャー（５０）は図５に図示されたところのように水平方向及び垂直方向に凹凸形状に構造されたリブ（５１）を有している。そして本発明の他の実施例として前記エンクロージャー（５０）はアルミニウム合金を使用することができるし、この時エンクロージャーの厚さは約０．５−０．７ｍｍが使用されることができる。または図５でトップベゼル（ｔｏｐ  ｂｅｚｅｌ：６０）は前記液晶表示モジュール（２０）のディスプレイ領域を除いた周辺部を覆って、前記エンクロージャー（５０）と結合される。前記トップベゼル（６０）の材料は伝導性のあるアルミニウム合金であり、一例として０．５ｍｍ程度の厚さをとる。本発明で前記トップベゼル（６０）は０．５ｍｍ程度の厚さをとるが、金属材料の特性上１．２−１．４ｍｍ程度のプラスチック材質に比べ類似した強度を有するし、伝導性を有して、重さも同一の厚さのプラスチックより軽い。
【００１９】
図５で液晶表示モジュール（２０）は前記エンクロージャー（５０）内部で搭載され、一例としてサイドマウンティング方法によって液晶表示モジュール平面の平行方法にエンクロージャー（５０）の側面壁に固定されるようになる。そして前記液晶表示モジュール（２０）は図６及び図７に図示されたところのようにヒンジ（７０）の回転軸へ延長されたヒンジアーム（ｈｉｎｇｅ  ａｒｍ：７１）を間に置いて前記エンクロージャー（５０）と固定される。
【００２０】
また図６及び図７を参照すればトップベゼル（６０）は前記液晶ディスプレイモジュール（２０）上に装着されて、金属材質の液晶ディスプレイモジュール（２０）のフレーム（２１）を通して電気的に接続されてある。また前記液晶ディスプレイモジュール（２０）は前記ヒンジアーム（７１）と固定されているので電気的に接続される。従って、前記トップベゼル（６０）は液晶ディスプレイモジュール（２０）と電気的に接続されて、液晶ディスプレイモジュール（２０）の金属フレーム（２１）を通してヒンジ（７０）とも電気的に接続される。従って、液晶ディスプレイモジュール（２０）から発生される電磁気波は前記トップベゼル（６０）によって遮蔽され、ヒンジ（７０）を通して接地（Ｇｒｏｕｎｄ）される。
【００２１】
【発明の効果】
従って、本願発明の装置または携帯用情報処理装置によりその厚さが薄くなる。また本発明は従来のディスプレイ装置または携帯用情報処理装置より重さが軽いという長所がある。そして、本発明は前記ディスプレイ装置のトップベゼルを伝導性のある材質を使用するから前記液晶ディスプレイモジュールから発生される電磁気波を遮蔽する効果がある。
【図面の簡単な説明】
【図１】図１は液晶ディスプレイモジュールを有する一般的なノートブックコンピュータを図示している。
【図２】図２は図１に図示されたディスプレイ装置の正面を図示している。
【図３】図３は図２で点線Ａ−Ａ′に従って切断された様子を見せてある。
【図４】図４は本発明の好ましい実施例による携帯用の情報処理装置のディスプレイ装置を図示している。
【図５】図５は図４での点線Ａ−Ａ′に従って切断された様子を見せてある。
【図６】図６は前記図４に図示されたディスプレイ装置の斜視図である。
【図７】図６は前記図４に図示されたディスプレイ装置のヒンジ部分の拡大図である。
【符号の説明】
１：本体
２、４０：ディスプレイ装置
１０、５０：エンクロージャー
１１：リブ
２０：液晶表示モジュール
２１：フレーム
３０、６０：トップベゼル
３１：ヒンジケース部
７０：ヒンジ
７１：ヒンジアーム
【図１】
0003568786.tif 000002
【図２】
0003568786.tif 000003
【図３】
0003568786.tif 000004
【図４】
0003568786.tif 000005
【図５】
0003568786.tif 000006
【図６】
0003568786.tif 000007
【図７】
0003568786.tif 000008